(57)【要約】【課題】生地およびフレームを含み、四方側面および上面を有する、折り畳み可能かつ展開可能なテントであって、容易に展開可能なテントを提供すること。【解決手段】生地およびフレームを含み、四方側面および上面を有する、折り畳み可能かつ展開可能なテントであって、四方側面および上面のうち少なくともいずれかに引手を備えている。【選択図】図１
2015218441.tif 000002
【特許請求の範囲】
【請求項１】
生地およびフレームを含み、四方側面および上面を有する、折り畳み可能かつ展開可能なテントであって、
四方側面および上面のうち少なくともいずれかに引手を備えてなることを特徴とするテント。
【請求項２】
四方側面および上面に引手を備えてなる、請求項１に記載のテント。
【請求項３】
フレームとして、ハブと該ハブに連結された４本の支柱が、四方側面および上面に配されており、かつ支柱のハブとは反対側端部が、他の支柱と連結されていない、請求項１または請求項２に記載のテント。
【請求項４】
前記生地にポリエステル繊維が含まれる、請求項１〜３のいずれかに記載のテント。
【請求項５】
前記生地が、単繊維の横断面形状が、２箇所以上のくびれ部を有する断面扁平度２〜６の扁平断面である繊維を含む部位を有する、請求項１〜４のいずれかに記載のテント。
【請求項６】
テントが、災害時の避難用、レクレーション用、イベントの更衣室用、アウトドア用、趣味用、および勉強用からなる群より選択されるいずれかの用途で用いられる、請求項１〜５のいずれかに記載のテント。
【発明の詳細な説明】
【技術分野】
【０００１】
本発明は、生地およびフレームを含み、四方側面および上面を有する、折り畳み可能かつ展開可能なテントであって、容易に展開可能なテントに関する。
【背景技術】
【０００２】
従来、災害時の避難用またはレクレーション用などとして、折り畳み可能かつ展開可能なテントが提案されている（例えば、特許文献１〜３参照）。
しかしながら、使用者がテントを展開する際、使用者がテントの中にはいる必要があり、テントの展開作業が困難であるという問題があった。
【先行技術文献】
【特許文献】
【０００３】
【特許文献１】特開平２−３５１７５号公報
【特許文献２】特表２００６−５２０８７９号公報
【特許文献３】米国特許第３８１０４８２号公報
【発明の概要】
【発明が解決しようとする課題】
【０００４】
本発明は上記の背景に鑑みなされたものであり、その目的は、生地およびフレームを含み、四方側面および上面を有する、折り畳み可能かつ展開可能なテントであって、容易に展開可能なテントを提供することにある。
【課題を解決するための手段】
【０００５】
本発明者は上記の課題を達成するため鋭意検討した結果、テントの外表面に引手を取付けることにより、テントの展開作業が容易になることを見出し、さらに鋭意検討を重ねることにより本発明を完成するに至った。
【０００６】
かくして、本発明によれば「生地およびフレームを含み、四方側面および上面を有する、折り畳み可能かつ展開可能なテントであって、四方側面および上面のうち少なくともいずれかに引手を備えてなることを特徴とするテント。」が提供される。
その際、四方側面および上面に引手を備えていることが好ましい。また、フレームとして、ハブと該ハブに連結された４本の支柱が、四方側面および上面に配されており、かつ支柱のハブとは反対側端部が、他の支柱と連結されていないことが好ましい。また、前記生地にポリエステル繊維が含まれることが好ましい。また、前記生地が、単繊維の横断面形状が、２箇所以上のくびれ部を有する断面扁平度２〜６の扁平断面である繊維を含む部位を有することが好ましい。
また、本発明において、テントが、災害時の避難用、レクレーション用、イベントの更衣室用、アウトドア用、趣味用、および勉強用からなる群より選択されるいずれかの用途で用いられることが好ましい。
【発明の効果】
【０００７】
本発明によれば、生地およびフレームを含み、四方側面および上面を有する、折り畳み可能かつ展開可能なテントであって、容易に展開可能なテントが得られる。
【図面の簡単な説明】
【０００８】
【図１】本発明のテントの一例を示す図（展開した状態）である。
【図２】本発明のテントにおいて用いることのできるフレームの一例を示す図（展開した状態）である。
【図３】本発明のテントにおいて用いることのできるフレームの一例を示す図（折り畳んだ状態）である。
【発明を実施するための形態】
【０００９】
以下、図１を用いて本発明の実施の形態について詳細に説明する。
まず、本発明は、生地およびフレームを含み、四方側面および上面を有する、折り畳み可能かつ展開可能なテントであって、四方側面および上面のうち少なくともいずれかに引手を有する。作業者がかかる引手を把持し引っ張ることにより、テントを容易に展開することが可能となる。なお、テントの底面には生地やフレームがないことが好ましいが、生地および／またはフレームがあってもさしつかえない。
ここで、四方側面および上面のうち１箇所でも引手を備えておればよいが、四方側面および上面の全ての面（すなわち５面）に引手を備えていると、テントの展開がより一層容易になり好ましい。
【００１０】
引手の取付け位置としては、図１に示すように各面の外表面の中央であることが好ましい。個数としては、各面あたり１個であることが好ましい。
引手の形状は特に限定されず、ストラップ状（リング状）、突起状、紐状、棒状などいずれでもよいが、ストラップ状（リング状）であることが好ましい。
また、引手の材質も特に限定されず布製、樹脂製、金属（ステンレス、アルミなど）製いずれでもよいが、布製であることが好ましい。
【００１１】
本発明のテントにおいて、生地としては特に限定されず、通常のテント用生地でよい。なかでも、撥水性、軽量性、防水性などの点でポリエステル繊維を含む生地が好ましい。
ここで、かかるポリエステル繊維を形成するポリエステルは、テレフタル酸を主たるジカルボン酸成分とし、少なくとも１種のグリコール、好ましくは、エチレングリコール、トリメチレングリコール、テトラメチレングリコールなどから選ばれた少なくとも１種のアルキレングリコールを主たるグリコール成分とするポリエステルである。上記ポリエステルには、必要に応じて第３成分が共重合および／またはブレンドによって変性されていてもよい。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１２】
なお、かかるポリエステルには、必要に応じて任意の添加剤、例えば触媒、着色防止剤、耐熱剤、難燃剤、撥水剤、防虫剤、蓄熱剤、消臭剤、酸化防止剤、無機微粒子などが含まれていてもさしつかえない。
前記ポリエステル繊維において、単繊維繊度としては、生地の風合いをソフトにしたり、繊維の表面積を大きくして優れた機能性を得る上で、単繊維繊度５．０ｄｔｅｘ以下（好ましくは０．０００１〜１．５ｄｔｅｘ）であることが好ましい。
また、生地を構成する繊維は短繊維（紡績糸）でもよいが、生地の強度を高める上で総繊度１０〜３００ｄｔｅｘ、フィラメント数３０〜５００００本（より好ましくは３０〜２００本）の長繊維（マルチフィラメント）であることが好ましい。
【００１３】
また、生地を構成する繊維の単繊維横断面形状は特に限定されず、丸だけでなく、三角、扁平、扁平、中空など異型断面形状でもよい。特に、特許４０６５７６４号公報に記載されたような、２箇所以上のくびれ部を有する断面扁平度２〜６の扁平断面である繊維を用いた織物を生地の一部に配すと、該部位を通して光がテント内部にはいると同時に、外部からテント内部が見えず好ましい。
また、生地の目付けとしては、７０〜２００ｇ／ｍ２の範囲内であることが好ましい。該目付けが７０ｇ／ｍ２よりも小さいと生地の引裂き強力が低下するおそれがある。逆に該目付けが２００ｇ／ｍ２よりも生地の軽量性が低下し、テントの取扱い性が低下するおそれがある。
【００１４】
前記生地の布帛組織は特に限定されず、編物、織物、不織布などいずれでもよい。なかでも、また、ソフトな風合いを得る上で編物または織物が好ましい。防水性の点で織物が好ましい。例えば、よこ編組織としては、平編、ゴム編、両面編、パール編、タック編、浮き編、片畔編、レース編、添え毛編等が例示され、たて編組織としては、シングルデンビー編、シングルアトラス編、ダブルコード編、ハーフ編、ハーフベース編、サテン編、ハーフトリコット編、裏毛編、ジャガード編等などが例示され、織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。メッシュ生地でもよい。なお、これらの織物や編物は常法により製造することができる。
【００１５】
また、前記生地には、通常の染色加工、減量加工、起毛加工、撥水加工、カレンダー加工、エンボス加工、難燃防炎加工、蓄熱加工、透湿防水加工、吸水加工、マイナスイオン加工、防虫加工などを適宜施してもよい。迷彩柄のプリント加工を施してもよい。透湿防水フィルムをラミネートしてもよい。
また、前記生地は、１枚物でテントを構成してもよいし、部分的にまたは全体的に２枚以上積層してテントを構成してもよい。
【００１６】
本発明のテントにおいて、フレーム（骨組み）としては、特開平２−３５１７５号公報の図１や米国特許第３８１０４８２号公報の図１に記載されているように、ハブと該ハブに連結された４本の支柱が側面および上面に配し、各支柱同士を直接、連結したものでもよいが、折り畳みおよび展開を容易にする上で、図２および図３に示すようなハブと該ハブに連結された４本の支柱が、四方側面および上面に配されていることが好ましい。その際、テントの上４隅および下４隅において支柱の端部（ハブとは反対側端部）が、他の支柱の端部（ハブとは反対側端部）と連結されていないことが好ましい。
ここで、図２はハブと該ハブに連結された４本の支柱からなるフレームを展開した状態を示し、図３は該フレームを折り畳んだ状態を示す。該フレームは傘のように開閉する。図１において、ハブと該ハブに連結された４本の支柱からなるフレームが四方側面および上面に配され、いずれのフレームもテントの内部方向に折り畳まれる。
【００１７】
本発明のテントにおいて、例えば、図１に示すように、底面から水や虫などが進入しないようにテントの下部にスカートを取付けることが好ましい。また、図１に示すように、チャックを取付け、内部および／または外部から窓を開閉できるようにしてもよい。その際、かかる窓において、メインの生地と採光（換気用）用布生地との二重構造とすることも好ましいことである。
本発明のテントは、生地およびフレームを含み、四方側面および上面を有する、折り畳み可能かつ展開可能なテントであって、かつ四方側面および上面のうち少なくともいずれかに引手を備えているので、作業者が該引手を把持し引っ張ることにより容易に展開可能である。
【００１８】
本発明のテントにおいて、目隠し、プライバシー保護、防風、防寒、日差しカット（光の入り込みを抑える）、防塵、防虫、防炎、組み立て・撤収が容易、収納がかさばらない、持ち運び容易、お休み用から更衣室まで対応可能などの機能を備えていることが好ましい。
また、簡単に組み立てられる、収納が簡単、持ち運びしやすい、小さいので収納で邪魔にならない、メッシュやフィルムで快適性を保てる、保温性がある、防虫・防炎・遮像などの特徴を有していることが好ましい。
用途としては、災害時の避難用、レクレーション用、イベントの更衣室用、アウトドア用、趣味用、勉強用などが好適に例示される。
【実施例】
【００１９】
本発明の実施例および比較例を詳述するが、本発明はこれらによって限定されるものではない。
（１）目付けの測定方法
ＪＩＳＬ１０１８  ６．４により測定した。
【００２０】
［実施例１］
図１に示すように、四方側面および上面を有する、折り畳み可能かつ展開可能なテントを作製した。その際、四方側面および上面それぞれの外表面の中央に布製のストラップ状引手を１個ずつ合計５個取り付けた。なお、図１では、上面の引手２と、側面の引手３、４のみ図示しており、側面２面の引手は図示されていない。
メインの生地は、ポリエステル繊維からなる織物（目付け１３０ｇ／ｍ２）に迷彩柄をプリント加工したものを用いた。
また、上面の一部には、艶消し剤を含まないポリエチレンテレフタレートを４つ山扁平断面（くびれ部３個所）に穿孔された口金より、紡糸温度３００℃で紡出し、４０００ｍ／ｍｉｎで引き取り、一旦巻き取ることなく引き続き１．３倍に延伸することにより得られた、フィラメントの横断面形状が、くびれ部（短辺の長さＣの最大／最小＝１．２）を３個所有する扁平断面（断面扁平度３．２）のマルチフィラメント総繊度８４ｄｔｅｘ／３０ｆｉｌを無撚で、経緯１００％使用した平組織織物（採光用生地６）を配した。
【００２１】
一方、フレームとして、ハブと該ハブに連結された４本の支柱を、四方側面および上面に配した。その際、支柱の端部（ハブとは反対側端部）と他の支柱の端部（ハブとは反対側端部）とは連結しなかった。
また、図１に示すようにテントの側面２箇所に窓用のチャックを２箇所取付けた。また、図１に示すようにテント下部にスカートを取付けた。
得られたテントは、作業者が引手を把持し引っ張ることにより容易に展開可能であった。
【００２２】
［比較例１］
実施例１において、四方側面および上面のいずれにも引手を取付けないこと以外は実施例１と同様にした。得られたテントは、実施例１で得られたものと比べて展開が困難であった。
【産業上の利用可能性】
【００２３】
本発明によれば、生地およびフレームを含み、四方側面および上面を有する、折り畳み可能かつ展開可能なテントであって、容易に展開可能なテントが提供され、その工業的価値は極めて大である。
【符号の説明】
【００２４】
１：テント
２：引手
３：引手
４：引手
５：メインの生地
６：採光用生地
７：スカート
８：チャック
９：チャック
１０：ハブ
１１：支柱
１２：支柱
１３：支柱
１４：支柱
【図１】
2015218441.tif 000003
【図２】
2015218441.tif 000004
【図３】
2015218441.tif 000005